(57)【要約】【課題】より広範囲な照射可能範囲を有する照明器具を提供する。【解決手段】照明器具１０は、支持板２０、２軸ヒンジ部３０、および、有機ＥＬパネル４０とを備え、支持板２０と有機ＥＬパネル４０は、２軸ヒンジ部３０によって連結されている。２軸ヒンジ部３０は、支持板２０の長手方向に平行な開閉軸ａ１、および、壁面に垂直な回転軸ａ２を中心に有機ＥＬパネル４０を回転自在に支持する。従って、照明器具１０は、有機ＥＬパネル４０を壁面に対して傾ける（開閉させる）だけでなく、回転させることが可能となり、従来より広範囲な照射可能範囲を実現できる。【選択図】図１
2010198908.tif 000002
【特許請求の範囲】
【請求項１】
取付面に取り付けられる支持板と、
平面状の発光面を有する面発光パネルと、
前記支持板と前記面発光パネルとを連結する２軸ヒンジ部と、を備え、
前記２軸ヒンジ部は、前記面発光パネルの発光面が前記取付面に対して傾き自在になるように連結するとともに、該発光面が回転自在になるように連結する、
ことを特徴とする照明器具。
【請求項２】
外部の遠隔装置からの指示に基づいて、前記面発光パネルの発光面の傾きと回転とを制御する動力部をさらに備える、
ことを特徴とする請求項１に記載の照明器具。
【請求項３】
前記面発光パネルは、表と裏の２つの発光面を有する、
ことを特徴とする請求項１又は２に記載の照明器具。
【請求項４】
前記面発光パネルは、有機エレクトロルミネッセンス素子を備える、
ことを特徴とする請求項１乃至３の何れか１項に記載の照明器具。
【発明の詳細な説明】
【技術分野】
【０００１】
本発明は、面状の発光面を有する照明器具に関する。
【背景技術】
【０００２】
照明器具として、白熱電球や蛍光灯などを光源として用いた照明器具が普及している。また、より長寿命で省電力なＬＥＤ（Light Emitting Diode）を光源とした照明器具も利用されている。
【０００３】
近年では、面発光することが特徴である有機ＥＬパネルを搭載した照明器具も利用されている（例えば、特許文献１）。また、このような有機ＥＬパネルを搭載した照明器具では、有機ＥＬパネルの発光面の向きを調整可能なものもある。
【先行技術文献】
【特許文献】
【０００４】
【特許文献１】特開２００１−３２５８０５号公報
【発明の概要】
【発明が解決しようとする課題】
【０００５】
しかしながら、上述した有機ＥＬパネル付き照明器具では、発光面の向きは１軸方向にしか動かすことができない。したがって、照射可能範囲がせまくなってしまうという問題を有する。
【０００６】
本発明は、上記問題に鑑みてなされたものであり、より広範囲な照射可能範囲を有する照明器具を提供することを目的とする。
【課題を解決するための手段】
【０００７】
上記目的を達成するため、本発明の第１の観点に係る照明器具は、
取付面に取り付けられる支持板と、
平面状の発光面を有する面発光パネルと、
前記支持板と前記面発光パネルとを連結する２軸ヒンジ部と、を備え、
前記２軸ヒンジ部は、前記面発光パネルの発光面が前記取付面に対して傾き自在になるように連結するとともに、該発光面が回転自在になるように連結する、
ことを特徴とする。
【発明の効果】
【０００８】
本発明によれば、２つの軸のそれぞれを中心に回転自在に照射面を調整できるため、より広範囲な照射範囲を実現できる。
【図面の簡単な説明】
【０００９】
【図１】本発明の第１の実施の形態に係る照明器具の構成例を示す斜視図である。
【図２】図１に示す照明器具の断面図である。
【図３】２軸ヒンジ部の概略的構造を示す図である。
【図４】照明器具の有機ＥＬパネルの閉状態を示す図である。
【図５】照明器具の有機ＥＬパネルの回転を説明するための図である。
【図６】本発明の第２の実施の形態に係る照明器具の有機ＥＬパネルの回転を制御する機構のブロック構成図である。
【発明を実施するための形態】
【００１０】
（第１の実施の形態）
以下、この発明の第１の実施の形態について図面を参照しながら詳細に説明する。なお、図中同一または相当部分には同一符号を付し、その説明は繰り返さない。
【００１１】
図１は、本発明の実施の形態に係る照明器具１０の構成例を示す斜視図である。図２は、図１の照明器具１の断面図である。
【００１２】
照明器具１０は、支持板２０、２軸ヒンジ部３０、および、有機ＥＬパネル４０とを備え、支持板２０と有機ＥＬパネル４０は、２軸ヒンジ部３０によって連結されている。
【００１３】
支持板２０は、天井面または壁面などの取付面にビス、又は磁石等によって取り付けられており、２軸ヒンジ部３０を固定する。
【００１４】
有機ＥＬパネル４０は、図示せぬ点灯装置や薄板状の有機ＥＬ（エレクトロルミネッセンス）素子等から構成され、発光面４０ａから光を放出する。また、有機ＥＬパネル４０は、リモコン受光部４１を備える。
【００１５】
リモコン受光部４１は、赤外線受信回路などを備え、有機ＥＬパネル４０の側面に位置し、図示せぬリモコン装置から送信された有機ＥＬパネル４０の点灯、消灯を指示する信号を受信する。そして、リモコン受光部４１は、受信した指示信号に基づいて、図示せぬ点灯装置に、有機ＥＬパネル４０の点灯、消灯を指示し、点灯装置はその指示に従い、有機ＥＬパネル４０を点灯、消灯する。
【００１６】
２軸ヒンジ部３０は、支持板２０の長手方向に平行な開閉軸ａ１、および、壁面に垂直な回転軸ａ２を中心に有機ＥＬパネル４０を回転自在に支持する。
【００１７】
図３は２軸ヒンジ部３０の概略的構造を示す図である。２軸ヒンジ部３０は、固定部材３１、３２、開閉軸材３３、および、回転軸材３４を備える。
【００１８】
固定部材３１、３２は、円筒形を有し、開閉軸ａ１に沿って、支持板２０上に接着剤等で、それぞれが離間して直線状に配置される。なお、支持板２０と各固定部材３１、３２とが一体的に形成されていてもよい。
【００１９】
固定部材３１、３２の円筒構造の内部には、円柱形を有する開閉軸材３３が嵌合されている。開閉軸材３３は、開閉軸ａ１を中心に回動自在であり、任意の角度ピッチ（例えば１°毎）で保持される。
【００２０】
回転軸材３４は、その一端部が有機ＥＬパネル４０の端面に固定され、他端部が固定部材３１と固定部材３２との間に露出した開閉軸材３３の側面に形成された穴に嵌合されている。回転軸材３４は、回転軸ａ２を中心に回転自在であり、任意の角度ピッチ（例えば１°毎）で保持される。
【００２１】
このような構造の２軸ヒンジ部３０では、開閉軸ａ１を中心に開閉軸材３３が回動することで、有機ＥＬパネル４０を壁面に対して傾く（開閉する）とともに、回転軸材３４が回転軸ａ２を中心に回転することで、有機ＥＬパネル４０を回転させることができる。
【００２２】
開閉軸材３３の可動範囲は開閉軸ａ１を中心にα＝０°〜１８０°である。回転軸材３４の可動範囲は回転軸ａ２を中心にβ＝０°〜３６０°で回転（全回転）することが可能である。
【００２３】
図１では、α＝９０°かつβ＝０°の状態が示されている。なお、α＝１８０°かつβ＝０°の場合は、図４（Ａ）、（Ｂ）に示すように、有機ＥＬパネル４０の照射面は壁面によって隠れてしまう（閉じてしまう）。また、図５（Ａ）は、α＝９０°かつβ＝６０°の場合、図５（Ｂ）は、α＝９０°かつβ＝１２０°の場合、の照明器具１０を正面から示した図である。
【００２４】
このように、本実施の形態に係る照明器具１０は、２軸ヒンジ部３０により、有機ＥＬパネル４０を壁面に対して傾ける（開閉させる）だけでなく、回転させることができる。そのため、従来より広範囲な照射可能範囲を実現できる。また、有機ＥＬパネル４０の向きを自由に調整（回転）することで、必要な範囲のみを照射できる。
【００２５】
（第２の実施の形態）
第１の実施の形態に係る照明器具１０は、有機ＥＬパネル４０を回転させるための動力が備えられていない。そのため、有機ＥＬパネル４０を回転させるためには、使用者が有機ＥＬパネル４０に直接力を加える必要がある。これに対し、本発明の第２の実施の形態に係る照明器具は、リモコン操作により、使用者が直接力を加えることなく、有機ＥＬパネル４０の回転を操作することを特徴とする。
【００２６】
図６は、第２の実施の形態に係る照明器具１００の有機ＥＬパネル４０の回転を制御する機構のブロック構成図である。
【００２７】
照明器具１００は、第１の実施の形態に係る照明器具１０に、パネル駆動制御部５１と、開閉駆動モータ５２と、回転駆動モータ５３とをさらに備える。また、本実施の形態では、リモコン受光部４１は、有機ＥＬパネル４０の点灯、消灯を指示する信号以外に、有機ＥＬパネル４０の動作（回転）を指示する信号も受信する。
【００２８】
パネル駆動制御部５１は、ＣＰＵ（Central Processing Unit）、ＲＡＭ（Rondom Access Memory）、および、ＲＯＭ（Read Only Memory）等を備え、リモコン受光部４１から受信した信号に基づいて、開閉駆動部モータ５２と回転駆動モータ５３の駆動を制御する。
【００２９】
開閉駆動モータ５２は、パネル駆動制御部５１からの指示に基づいて、開閉軸材３３の回転を制御する。
【００３０】
回転駆動モータ５３は、パネル駆動制御部５１からの指示に基づいて、回転軸材３４の回転を制御する。
【００３１】
例えば、ユーザが、図示せぬリモコン装置を操作して有機ＥＬパネル４０を開くことを指示し、パネル駆動制御部５１が、リモコン受光部４１を介してその指示信号を受信した場合を考える。この場合、パネル駆動制御部５１は、開閉駆動モータ５２を制御して、開閉軸材３３を閉方向（角度αが増加する方向）に所定角度（例えば１°）だけ回転させる。従って、有機ＥＬパネル４０は所定角度だけ閉じる（壁面側に傾く）こととなる。ユーザは、有機ＥＬパネル４０が所望の傾きになるまで、リモコン装置から、この操作を実行し続ければよい。
【００３２】
また、ユーザが、図示せぬ照明器具１００用のリモコンを操作して有機ＥＬパネル４０の回転を指示し、パネル駆動制御部５１が、リモコン受光部４１を介してその指示信号を受信した場合を考える。この場合、パネル駆動制御部５１は、回転駆動モータ５３を制御して、回転軸材３４を正面から見て時計回り方向（角度βが増加する方向）に所定角度（例えば１°）だけ回転させる。従って、有機ＥＬパネル４０は所定角度だけ回転することとなる。そして、ユーザは、所望の向きになるまで、リモコンからのこの回転操作を実行し続ければよい。
【００３３】
このように、本実施の形態では、ユーザが直接照明器具１００に力を加えることなく、リモコン装置からの操作により、有機ＥＬパネル４０の開閉と回転を操作することができる。
【００３４】
また、本発明は、種々の変形、および、応用が可能である。
【００３５】
例えば、裏面側も発光する有機ＥＬパネル４０を照明器具１０、１００に利用してもよい。このようにすることで、表と裏の２つの発光面から光りが放出されるため、より周囲を明るく照らすことが可能となる。
【００３６】
また、有機ＥＬパネル４０以外の他の面状に発光する光源を用いてもよい。
【００３７】
また、図３で示した２軸ヒンジ部３０の構造はあくまで一例であり、有機ＥＬパネル４０を開閉、および、回転することが可能な他のヒンジを本発明の２軸ヒンジ部３０に用いてもよい。
【符号の説明】
【００３８】
１０    照明器具
１００  照明器具
２０    支持板
３０    ２軸ヒンジ部
３１    固定部材
３２    固定部材
３３    開閉軸材
３４    回転軸材
４０    有機ＥＬパネル
４０ａ  発光面
４１    リモコン受光部
ａ１    開閉軸
ａ２    回転軸
【図１】
2010198908.tif 000003
【図２】
2010198908.tif 000004
【図３】
2010198908.tif 000005
【図４】
2010198908.tif 000006
【図５】
2010198908.tif 000007
【図６】
2010198908.tif 000008